(57)【要約】【課題】風力・太陽光等の自然エネルギを利用して災害時等にトイレとして使用可能な屋外トイレを提供すること。【解決手段】風車４及び又はソーラーパネル５により発電された電気エネルギを蓄電器１１に蓄電する。蓄電された電気エネルギを利用して分解処理用おが屑Ｘ及び有機廃棄物Ｙ内の微生物の活性化を促して有機廃棄物Ｙを処理するトイレ２と、電気制御部２０を収容する制御ボックス３とを、それぞれ背部及び側部を囲む側壁を有するベンチ７，８の座席下部の収納空間７ａ，８ａ内に収納し、トイレ２を収納するベンチ７の座席部を開閉又は着脱可能に形成し、制御ボックス３を収納するベンチ８の座席部、背部及び側壁を構成するパネル８１〜８３，８５を組立及び分解可能に形成して、トイレ２の使用時に、パネル８１〜８３，８５をトイレ２のベンチ７に装着又は目隠し用間仕切に使用可能に形成する。【選択図】  図２
2004204635.tif 000002
【特許請求の範囲】
【請求項１】
風力及び又は太陽光を利用する自然エネルギ収集手段と、この自然エネルギ収集手段により発電された電気エネルギを蓄電する蓄電器とを具備する自然エネルギ供給手段と、
上記自然エネルギ供給手段から供給された電気エネルギを利用して分解処理用おが屑及び有機廃棄物内の微生物の活性化を促して有機廃棄物を処理するトイレと、
上記自然エネルギ供給手段とトイレの電気制御部を収容する制御ボックスを具備し、
上記トイレ及び制御ボックスを、それぞれ背部及び側部を囲む側壁を有するベンチの座席下部の収納空間内に収納し、
上記トイレを収納するベンチの座席部を開閉又は着脱可能に形成し、
上記トイレの使用時に、上記ベンチを構成する部材及び又はベンチの収納空間内に収納された部材をトイレの目隠し用に使用可能に形成してなることを特徴とする風力・太陽光等の自然エネルギを利用する屋外トイレ。
【請求項２】
請求項１記載の風力・太陽光等の自然エネルギを利用する屋外トイレにおいて、
上記制御ボックスを収納するベンチの座席部、背部及び側壁を構成するパネルを組立及び分解可能に形成し、
上記トイレの使用時に、上記制御ボックスを収納するベンチを構成する上記パネルを上記トイレのベンチに装着又は目隠し用間仕切に使用可能に形成することを特徴とする風力・太陽光等の自然エネルギを利用する屋外トイレ。
【請求項３】
請求項１記載の風力・太陽光等の自然エネルギを利用する屋外トイレにおいて、
上記ベンチの収納空間内に、天井部と側面部を有する折り畳み自在なシート部材と、支柱とを収納し、
トイレの使用時に、上記支柱によって上記シート部材を展開保持してトイレの目隠し用に使用可能に形成することを特徴とする風力・太陽光等の自然エネルギを利用する屋外トイレ。
【請求項４】
請求項１ないし３のいずれかに記載の風力・太陽光等の自然エネルギを利用する屋外トイレにおいて、
上記自然エネルギ供給手段は、地面に立設される中空状のポールと、このポールの上部に装着される自然エネルギ収集手段とを具備し、
上記トイレは、便器に連通する処理槽と、上記エネルギ供給手段から供給される電気エネルギによって処理槽内の分解処理用おが屑と有機廃棄物とを攪拌する攪拌手段と、上記処理槽の外周壁に配設され、処理槽内の分解処理用おが屑及び有機廃棄物を一定温度に温めるヒータと、上記処理槽内を換気する換気口を具備し、
上記トイレの換気口と、上記ポールの中空部とを換気ダクトを介して接続してなることを特徴とする風力・太陽光等の自然エネルギを利用する屋外トイレ。
【請求項５】
請求項１ないし３のいずれかに記載の風力・太陽光等の自然エネルギを利用する屋外トイレにおいて、
上記自然エネルギ供給手段は、地面に立設されるポールと、このポールの上部に装着される自然エネルギ収集手段とを具備し、
上記ポールの下端部に、上記トイレを収納するトイレ収納ベンチと、上記制御ボックスを収納する制御ボックス収納ベンチを設置し、
上記ポールの上部に、ポールの下部周辺を照らす照明器具を装着してなることを特徴とする風力・太陽光等の自然エネルギを利用する屋外トイレ。
【発明の詳細な説明】
【０００１】
【発明の属する技術分野】
この発明は、風力・太陽光等の自然エネルギを利用した屋外トイレに関するもので、更に詳細には、風力や太陽光により蓄電された電気エネルギを電力源とする分解処理機能付きトイレに関するものである。
【０００２】
【従来の技術】
従来、山中又は災害時の避難場所等に設置される屋外トイレにおいては、水洗式又はくみ取り式のものが設置されている。水洗式の場合は、糞尿等を処理するために上下水工事を必要とするので設置場所が限定されると共に、災害時において水の供給が停止した場合に糞尿等の処理ができないという問題があった。また、くみ取り式の場合は、糞尿の蓄積量に限度があり、蓄積された糞尿を定期的にくみ取らなければならなず、くみ取りに手間がかかると共に、糞尿から発生する悪臭が問題となっていた。
【０００３】
このような問題を解決するものとして、糞尿分解処理槽内で糞尿等の廃棄有機物とおが屑を攪拌すると共に、ヒータによって加温して、微生物の活性を促して微生物分解・脱臭を行う分解処理装置付きのトイレがある（例えば、特許文献１参照）。
【０００４】
【特許文献１】
特許第３１６０８５９号明細書（段落番号０００６，０００９，００１０、図１，図２，図３）
【０００５】
【発明が解決しようとする課題】
しかしながら、従来の分解処理装置付きのトイレにおいては、糞尿等の分解処理を行うために、処理槽内の糞尿等とおが屑とをモータに連結されたスクリューの回転によって攪拌する必要があり、また、分解効率を高めるために処理槽内の温度を微生物が活発に生息する一定温度に保つために、処理槽内をヒータによって温める必要がある。このため、従来の分解処理装置付きトイレにおいては、モータ及びヒータを作動させるために外部からの電力供給が必要であるという問題があった。また、外部から電力を供給する構造では、災害時に電力の供給が遮断された際、モータ及びヒータが作動せず、処理槽に蓄積された糞尿等の分解処理が行えないのでトイレの使用ができなくなるという問題がある。
【０００６】
また、上記トイレを設置する場所は、災害時において避難所となる公園等であり、日常生活において、常に上記トイレを設置しておくことは、公園等の美観を損ねるという問題がある。
【０００７】
この発明は上記事情に鑑みてなされたものであり、外部からの電力供給によらず分解処理装置付きトイレの分解処理を行うことができ、災害時等にトイレとして使用可能な自然エネルギを利用する屋外トイレを提供することを目的とするものである。
【０００８】
【課題を解決するための手段】
上記目的を達成するために、請求項１記載の発明は、風力及び又は太陽光を利用する自然エネルギ収集手段と、この自然エネルギ収集手段により発電された電気エネルギを蓄電する蓄電器とを具備する自然エネルギ供給手段と、  上記自然エネルギ供給手段から供給された電気エネルギを利用して分解処理用おが屑及び有機廃棄物内の微生物の活性化を促して有機廃棄物を処理するトイレと、  上記自然エネルギ供給手段とトイレの電気制御部を収容する制御ボックスを具備し、上記トイレ及び制御ボックスを、それぞれ背部及び側部を囲む側壁を有するベンチの座席下部の収納空間内に収納し、  上記トイレを収納するベンチの座席部を開閉又は着脱可能に形成し、  上記トイレの使用時に、上記ベンチを構成する部材及び又はベンチの収納空間内に収納された部材をトイレの目隠し用に使用可能に形成してなることを特徴とする。この発明において、自然エネルギ収集手段としては、例えば風力により自然エネルギを収集する風車や、太陽光により自然エネルギを収集するソーラーパネル等を使用することができる。
【０００９】
このように構成することにより、風力又は太陽光あるいは風力及び太陽光の双方を利用して収集した自然エネルギ収集手段により発電された電気エネルギを蓄電器に蓄電し、この電気エネルギを利用して有機廃棄物の処理を行うことができるので、外部からの電力供給がなくてもトイレを使用することができる。また、トイレ及び制御ボックスを、それぞれベンチの座席下部の収納空間内に収納し、トイレを収納するベンチの座席部を開閉又は着脱可能に形成し、ベンチを構成する部材及び又はベンチの収納空間内に収納された部材をトイレの目隠し用に使用可能に形成するので、外部からの電力供給がなくても、糞尿等の有機廃棄物を分解処理するトイレを使用可能な状態に設置することができる。したがって、通常時はベンチとして使用でき、例えば、災害時には、避難者や災害援助者等がトイレを使用することができると共に、トイレ使用者のプライバシーの保護を図ることができる。
【００１０】
請求項２記載の発明は、請求項１記載の風力・太陽光等の自然エネルギを利用する屋外トイレにおいて、  上記制御ボックスを収納するベンチの座席部、背部及び側壁を構成するパネルを組立及び分解可能に形成し、  上記トイレの使用時に、上記制御ボックスを収納するベンチを構成する上記パネルを上記トイレのベンチに装着又は目隠し用間仕切に使用可能に形成することを特徴とする。
【００１１】
このように構成することにより、通常時にはベンチとして使用できる屋外トイレは、例えば、災害時には、トイレを収納するベンチに、制御ボックスを収納するベンチを構成するパネルを装着又は目隠し用間仕切に使用することで避難者や災害援助者等がトイレを使用することができると共に、トイレ使用者のプライバシーの保護を図ることができる。
【００１２】
請求項３記載の発明は、請求項１記載の風力・太陽光等の自然エネルギを利用する屋外トイレにおいて、  上記ベンチの収納空間内に、天井部と側面部を有する折り畳み自在なシート部材と、支柱とを収納し、  トイレの使用時に、上記支柱によって上記シート部材を展開保持してトイレの目隠し用に使用可能に形成することを特徴とする。
【００１３】
このように構成することにより、通常時はベンチとして使用できる屋外トイレは、例えば、災害時には、ベンチの収納空間内に収納されている天井部と側面部を有する折り畳み自在なシート部材とを、支柱によって展開保持してトイレの目隠し用に使用可能に形成することができるので、避難者や災害援助者等がトイレを使用することができると共に、トイレ使用者のプライバシーの保護を図ることができる。
【００１４】
請求項４記載の発明は、請求項１ないし３のいずれかに記載の風力・太陽光等の自然エネルギを利用する屋外トイレにおいて、  上記自然エネルギ供給手段は、地面に立設される中空状のポールと、このポールの上部に装着される自然エネルギ収集手段とを具備し、  上記トイレは、便器に連通する処理槽と、上記エネルギ供給手段から供給される電気エネルギによって処理槽内の分解処理用おが屑と有機廃棄物とを攪拌する攪拌手段と、上記処理槽の外周壁に配設され、処理槽内の分解処理用おが屑及び有機廃棄物を一定温度に温めるヒータと、上記処理槽内を換気する換気口を具備し、  上記トイレの換気口と、上記ポールの中空部とを換気ダクトを介して接続してなることを特徴とする。
【００１５】
このように構成することにより、ポールの上部に装着された自然エネルギ収集手段により発電された電気エネルギを自然エネルギ供給手段に蓄電し、トイレの使用時に処理槽内の分解処理用おが屑と有機廃棄物とを攪拌する攪拌手段及び処理槽の外周壁に設置されたヒータに電気エネルギを供給することができるので、糞尿等の有機廃棄物を効率良く分解処理することができる。また、トイレの換気口とポールの中空部とを換気ダクトを介して接続することにより、処理槽内の臭気を外部へ排出して換気を行うことができる。
【００１６】
請求項５記載の発明は、  請求項１ないし３のいずれかに記載の風力・太陽光等の自然エネルギを利用する屋外トイレにおいて、  上記自然エネルギ供給手段は、地面に立設されるポールと、このポールの上部に装着される自然エネルギ収集手段とを具備し、  上記ポールの下端部に、上記トイレを収納するトイレ収納ベンチと、上記制御ボックスを収納する制御ボックス収納ベンチを設置し、  上記ポールの上部に、ポールの下部周辺を照らす照明器具を装着してなることを特徴とする。
【００１７】
このように構成することにより、ポールの上部に装着された自然エネルギ収集手段により発電された電気エネルギを自然エネルギ供給手段に蓄電し、この電気エネルギをポールの上部に装着された照明器具に供給することにより、夜間においてポールの下端部に設置されたベンチ及びポールの下端部周辺を照らすことができ、災害時等に関係なく夜間においても常時トイレを使用可能にすることができる。
【００１８】
【発明の実施の形態】
以下に、この発明の風力・太陽光等の自然エネルギを利用する屋外トイレの実施形態について、添付図面に基づいて詳細に説明する。
【００１９】
◎第一実施形態
図１は、この発明の風力・太陽光等の自然エネルギを利用する屋外トイレの第一実施形態において、屋外トイレをベンチとして使用している状態を示す概略図、図２は、第一実施形態における風力・太陽光等の自然エネルギを利用する屋外トイレの使用状態を示す概略図（ａ）、（ａ）のI−I線に沿う拡大断面図（ｂ）である。
【００２０】
この発明に係る屋外トイレＴは、図１及び図２に示すように、風力Ｗ又は太陽光Ｓあるいは風力Ｗ及び太陽光Ｓの双方を利用する自然エネルギ収集手段４，５と、この自然エネルギ収集手段４，５により発電された電気エネルギを蓄電する蓄電器１１とを具備する自然エネルギ供給手段１と、自然エネルギ供給手段１から供給された電気エネルギを利用して分解処理用おが屑Ｘ及び有機廃棄物Ｙ内の微生物の活性化を促して有機廃棄物Ｙを処理するトイレ２と、自然エネルギ供給手段１とトイレ２の電気制御部２０を収容する制御ボックス３とで主に構成されている。
【００２１】
また、トイレ２及び制御ボックス３は、それぞれ背部及び側部を囲む側壁を有するベンチ７，８の座席下部の収納空間７ａ，８ａ内に収納されている。この場合、トイレ２を収納するベンチ７は、その座席部７３が着脱可能に形成されている。なお、座席部７３を開閉可能に形成してもよい。また、制御ボックス３を収納するベンチ８の座席部、背部、側壁及び前部を構成するパネル８１〜８３，８５は、組立及び分解可能に形成されており、トイレ２の使用時に、このパネル８１〜８３，８５をトイレ２のベンチ７に連結部材９を介して装着又は目隠し用間仕切に使用可能に形成されている（図６，７参照）。
【００２２】
上記自然エネルギ供給手段１は、図１及び図２に示すように、図示しないアンカーやコンクリート等によって地面に立設される中空状のポール１２と、このポール１２の上端部に装着されて風力Ｗにより自然エネルギを収集する第１の自然エネルギ収集手段である風車４と、この風車４の下部位置のポール１２内部に装着され、風車４の回転軸４２に連結されて風車４の回転運動を電気エネルギに変換する発電器１３と、ポール１２の上部付近に装着されて、太陽光Ｓにより自然エネルギを収集する第２の自然エネルギ収集手段であるソーラーパネル５とによって形成されている。
【００２３】
上記ポール１２の下部には、図１及び図２に示すように、下端部にトイレ２を収納するトイレ収納ベンチ７と、制御ボックス３を収納する制御ボックス収納ベンチ８とが背面を対峙した状態に設置されている。また、ポール１２の上部側面には、ポール１２の下部周辺を照らす水銀灯又はＬＥＤ等の照明器具６が装着されている。
【００２４】
上記風車４は、図２に示すように、ポール１２の上端部に上下対向に設置された支持板部材４０と、この支持板部材４０間に回転自在に配設される円筒状羽根車４４と、支持板部材４０間に両端部が固定され、円筒状羽根車４４の外側に延在するように配列された複数枚（例えば５枚）の空気案内羽根４５とで主に構成されている。
【００２５】
この場合、円筒状羽根車４４は、互いに間隔をおいて環状に配列される複数の断面略円弧状の羽根４１と、これら羽根４１の両端部すなわち上下端部に対向して取り付けられる羽根支持部材４３と、これら羽根支持部材４３の中心部に貫通状に取り付けられて、上記支持部材４０と回転自在に枢着される回転軸４２とで構成されている。なお、上記羽根支持部材４３に形成される回転軸４２は、上部側が支持板部材４０に回転自在に枢着されており、下部側は支持板部材４０に枢着されると共に、ポール１２の内部に装着された発電器１３に連結されている。
【００２６】
また、上下の支持板部材４０は、空気案内羽根４５の端部設置部分より外側を取り除いた平面視略星形の形状に形成されており、支持板部材４０の中心が円筒状羽根車４４の回転中心になるように形成（設計）され、空気案内羽根４５の端部設置部分より外側を取り除いた除去部分が、上下で対向位置にあるように設置されている。
【００２７】
また、下方の支持板部材４０には、ポール１２内部と連通する換気用孔（図示せず）が穿設されており、ポール１２内部の空気を換気することができるようになっている。
【００２８】
上記のように構成される風車４は、図２（ｂ）に示すように、風力Ｗ（空気流）が、空気案内羽根４５によって風車４の内方に取り込まれ、円筒状羽根車４４へ案内されて羽根４１間を通り、円筒状羽根車４４の内部を通過して再び円筒状羽根車４４が受ける風力Ｗによって、円筒状羽根車４４が周方向に回転する。このように円筒状羽根車４４が回転することで、円筒状羽根車４４の回転が回転軸４２を伝わり、発電器１３によって風力Ｗを電気エネルギに変換することができる。したがって、昼夜に関係なく電気エネルギを蓄電することができる。
【００２９】
なお、この場合、上記風車４は、円筒状羽根車４４の外周位置に空気案内羽根４５を形成することで受風面積が増えるので、風車４内への流入風量を増大することができる。また、空気案内羽根４５の設置角度を制御することで、風力Ｗの収集効率の向上を図ることができる。したがって、わずかな風力Ｗでも発電が可能になる。
【００３０】
上記ソーラーパネル５は、図１及び図２に示すように、ポール１２の上部付近から地面に対して水平に突出される取付片１４に図示しない固定手段によって取り付けられており、その取付方向は、太陽光Ｓから最大の発電量を得るために、太陽の軌道方向に向かって固定する必要があるので、水平位置から南向き（南半球では北向き）に、その地点の緯度分だけ傾けて設置されている。
【００３１】
このように設置されたソーラーパネル５によって、昼間の晴天時又は曇り時において、太陽光Ｓを集光（集熱）して電気エネルギに変換することができる。
【００３２】
上記において、風力Ｗ及び太陽光Ｓを収集することによって発電された電気エネルギは、ポール１２の中空部１２ａ内に配線されたコードを介して、ポール１２の下端部に配置された制御ボックス収納ベンチ８内の蓄電器１１に蓄電される。なお、蓄電器１１をポール１２の中空部１２ａ内に収容してもよい。
【００３３】
一方、トイレ２は、図２に示すように、トイレ収納ベンチ７の座席下部に収納される処理槽２１と、処理槽２１の上面の前端側に形成された開口部２２に配設される便座２３ａ及び便蓋２３ｂとを具備している。処理槽２１の背面の上端側には換気口２４が形成されており、この換気口２４とポール１２の中空部１２ａ内とが換気ダクト２５を介して接続されている。この場合、ポール１２の中空部１２ａ内に換気された空気（臭気）は、ポール１２の上端に装着される風車４の円筒状羽根車４４の回転により発生する空気流によって吸い出され、換気用孔（図示せず）から外方に排気される。
【００３４】
また、処理槽２１には攪拌手段２６が形成されている。この攪拌手段２６は、処理槽２１内の長手方向に水平状に架設される攪拌用軸２６ａと、攪拌用軸２６ａの外周に複数形成され、攪拌用軸２６ａの回転に伴なって処理槽２１内に収容されたおが屑Ｘと有機廃棄物Ｙとを攪拌して混合する攪拌片２６ｂと、処理槽２１外に設置されて、攪拌用軸２６ａを回転可能に連結してあるモータ２６ｃとで構成されている。
【００３５】
また、処理槽２１の外周壁には、処理槽２１内の温度を微生物が活発に生息する温度、例えば４０度前後に加温かつ保温可能なヒータ２８が形成されている。また、処理槽２１内には温度センサ２９が備えられており、電気制御部２０によって処理槽２１内の温度を４０度前後に制御して保つことによって、有機廃棄物Ｙ等の分解処理を最良の効率の状態にすることができるようになっている。
【００３６】
このように分解処理されるおが屑Ｘと有機廃棄物Ｙは、有機廃棄物Ｙ中における何億とある腸内細菌によって分解が早く行われて堆肥化され、また、堆肥化の過程の発熱で雑菌が死滅しているため、窒素、燐、カリウムや有機物を含む有機肥料或いは土壌改良材として、利用することができる。
【００３７】
一方、上記トイレ収納ベンチ７は、図３に示すように、トイレ２を囲むように形成されている。このトイレ収納ベンチ７は、トイレ２の背面上部及び側面を囲む背面パネル７１及び側面パネル７２と、トイレ２の上面に載置されて座席を形成する座席パネル７３と、座席に座った際に足を置く踏み台７４とで構成されている。この場合、背面パネル７１と側面パネル７２は、ねじ止め等（図示せず）によってトイレ２の外枠に取付固定されており、座席パネル７３は背面パネル７１と側面パネル７２とで形成されるコ字状内に着脱可能に嵌め込まれている。また、踏み台７４は、側面パネル７２及びトイレ２の外枠にねじ止め等（図示せず）により取り付けられている。
【００３８】
一方、制御ボックス収納ベンチ８は、図４及び図５に示すように、上記蓄電器１１及びトイレの電気制御部２０を収容する制御ボックス３を囲むように形成されている。この制御ボックス収納ベンチ８は、制御ボックス３の背面上部及び側部を囲む背面パネル８１及び側面パネル８２と、制御ボックス３の上面に載置されて座席を形成する座席パネル８３と、座席に座った際に足を置く踏み台８４と、制御ボックス３の前面と踏み台８４との間に装着される前面パネル８５とで構成されている。この場合、背面パネル８１、側面パネル８２及び前面パネル８５は、制御ボックス３の外枠のそれぞれの装着位置に形成された嵌合凹条３０に嵌合することによって着脱可能に装着され、座席パネル８３は背面パネル８１と側面パネル８２とで形成されるコ字状内に着脱可能に嵌め込まれている。また、踏み台８４は、制御ボックス３の外枠にねじ止め等（図示せず）により取り付けられている。
【００３９】
また、制御ボックス３の上面と座席パネル８３との間には、用具収納室３１が形成されており、この用具収納室３１内に後述する連結部材９等を収納しておくことができるようになっている（図５参照）。
【００４０】
連結部材９には、図６に示すように、背面パネル７１，８１同士、側面パネル７２，８２同士、及び座席パネル７３，８３同士を連結する第１の連結部材９１と、背面パネル８１の上辺に取り付けられて、背面パネル８１と側面パネル８２の上部に装着される前面パネル８５の長辺と、側面パネル８２の上辺に取り付けられて、上記前面パネル８５の短辺を連結する第２の連結部材９２と、背面パネル８１と側面パネル８２とで形成される角部に取り付けられて、上記前面パネル８５の角部に連結される第３の連結部材９３と、地面に予め設けられた支持穴Ｈに立設して、座席パネル７３，８３に第１の連結部材９１を介して形成される目隠し用間仕切１００を上部に装着する支持棒９４とがある。
【００４１】
上記第１の連結部材９１は、図５に示すように、断面略Ｈ状に形成されており、上部及び下部のコ字状の凹部にそれぞれのパネル７１，７２，７３，８１，８２，８３を嵌合することによって、パネル同士を連結することができる。この場合、背面パネル７１，８１同士の連結部には２つ、側面パネル７２，７８同士の連結部には１つ、座席パネル７３，８３同士の連結部には２つの第１の連結部材９１が介在されている。
【００４２】
上記第２の連結部材９２は、図６に示すように、下方に開口して背面パネル８１及び側面パネル８２の上辺に嵌合する断面コ字状の嵌合部９２ａと、この嵌合部９２ｂの上面部を一辺に有し、側方に開口して前面パネル８５の長辺及び短辺をそれぞれ嵌合する断面コ字状の嵌合部９２ｂとが形成されている。この場合、背面パネル８１と前面パネル８５の連結部には２つ、側面パネル８２と前面パネル８５の連結部には１つの第２の連結部材９２が介在されている。
【００４３】
上記第３の連結部材９３は、図６に示すように、下方に開口して背面パネル８１と側面パネル８２とで形成される角部に嵌合するようにＬ字状に折曲した断面コ字状の嵌合部９３ａと、この嵌合部９３ａの上面部を一辺に有し、内方に開口して前面パネル８５の角部を嵌合するＬ字状に折曲した断面コ字状の嵌合部９３ｂとが形成されている。この場合、第３の連結部材９３は左右両端の角部の連結部に介在されている。
【００４４】
上記支持棒９４は、図２及び図６に示すように、下端部に地面に予め設けられた支持穴Ｈに嵌合可能な円柱状の支持棒基部９４ａを有し、上端部に、上方に開口して上記目隠し用間仕切１００を嵌合可能な断面コ字状の支持部９４ｂを有している。この場合、支持穴Ｈはトイレ収納ベンチ７に対して平行に２箇所設けられ、これら支持穴Ｈ内にそれぞれ支持棒９４が嵌合されている。なお、支持穴Ｈ内に支持棒９４を嵌合しないときは、支持穴Ｈの開口部をキャップ（図示せず）にて閉塞する方が好ましい。
【００４５】
このように構成されたトイレ収納ベンチ７と制御ボックス収納ベンチ８によって屋外トイレＴを組立てるには、まず、図５に示すように、制御ボックス収納ベンチ８からパネル８１〜８３，８５を取り外す。
【００４６】
次に、図６に示すように、取り外した背面パネル８１をトイレ収納ベンチ７の背面パネル７１の上部に、また、側面パネル８２をトイレ収納ベンチ７の側面パネル７２の上部に第１の連結部材９１を介して着脱可能に装着し、前面パネル８５を背面パネル８１と側面パネル８２の上部に、第２の連結部材９２及び第３の連結部材９３を介して着脱可能に装着することによってトイレ２の背部、側部及び上部を囲うことができる。
【００４７】
次に、トイレ収納ベンチ７の座席パネル７３を取り外し、この座席パネル７３と制御ボックス収納ベンチ８の座席パネル８３とを第１の連結部材９１を介して目隠し用間仕切１００を形成する。この目隠し用間仕切１００を、トイレ収納ベンチ７の前方の地面に予め設けられている２つ支持穴Ｈに、２本の支持棒９４の下端部を嵌合して立設し、支持棒９４の上端部に形成された支持部９４ｂに嵌合して取り付けることによって、トイレ２の前方を目隠しすることができる。
【００４８】
したがって、パネル７３，８１〜８３，８５によってトイレ２の周囲を間仕切りすることにより、例えば、災害時等における避難者や災害援助者等のトイレ使用者のプライバシーを保護することができる。
【００４９】
このように組立てた屋外トイレＴを分解するには、組立作業と逆の手順でそれぞれのパネル７３，８１〜８３，８５と連結部材９を取り外し、取り外されたトイレ収納ベンチ７の座席パネル７３を背面パネル７１と側面パネル７２とで形成されるコ字状内に嵌め込み、また、取り外された制御ボックス収納ベンチ８のパネル８１，８２，８５を、制御ボックス３の外枠のそれぞれの装着位置に形成された嵌合凹条３０に嵌合して装着し、制御ボックス３の用具収納室３１に連結部材９を収納して座席パネル８３を背面パネル８１と側面パネル８２とで形成されるコ字状内に嵌め込むことによって再びベンチとして使用可能になる。
【００５０】
なお、この場合、パネル７３，８１〜８３，８５の連結構造は、連結部材９によるものに限られず、例えばピンの嵌合、又はねじ止め等で行ってもよい。
【００５１】
上記のように形成された風力・太陽光等の自然エネルギを利用する屋外トイレＴは、風力Ｗ及び太陽光Ｓを収集して発電された電気エネルギを制御ボックス３内の蓄電器１１に蓄電し、蓄電した電気エネルギを、ポール１２に装着された照明器具６に供給して夜間に照明器具６を点灯させることができる。また、蓄電した電気エネルギを、ベンチ７内に収納されて有機廃棄物Ｙ等を分解処理するトイレ２のモータ２７及びヒータ２８に供給することで、モータ２７及びヒータ２８を稼働させて、トイレ２の使用を可能にする。また、トイレ２をトイレ収納ベンチ７及び制御ボックス収納ベンチ８を形成するパネル７３，８１〜８３，８５によって間仕切りすることで、トイレ使用者のプライバシーを保護することができる。
【００５２】
◎第二実施形態
図８は、この発明の風力・太陽光等の自然エネルギを利用する屋外トイレの第二実施形態において、屋外トイレをベンチとして使用している状態を示す概略側面図、図９は、第二実施形態における風力・太陽光等の自然エネルギを利用する屋外トイレの使用状態を示す概略側面図、図１０は、第二実施形態における風力・太陽光等の自然エネルギを利用する屋外トイレの拡大斜視図である。
【００５３】
第二実施形態は、上記第一実施形態と同様に、主要部が構成される風力・太陽光等のエネルギを利用する屋外トイレＴにおいて、ベンチ７Ａ，８Ａの収納空間７ａ，８ａ内に、天井部と側面部を有する折り畳み自在なシート部材１１０と、支柱例えば伸縮自在な支柱１２０とを収納して、トイレ２の使用時に、支柱１２０によってシート部材１１０を展開保持してトイレ２の目隠し用に使用可能に形成した場合である。
【００５４】
この場合、トイレ２は、図８及び図９に示すように、トイレ収納ベンチ７Ａの座席下部に収納される処理槽２１と、処理槽２１の上面の前端側に形成された開口部２２に配設される便座２３ａ及び便蓋２３ｂと、処理槽２１の後方上部に設置されて処理槽２１内の攪拌用軸２６ａを回転可能に連結するモータ２６ｃとを具備している。また、処理槽２１の背面の上端側には上記第一実施形態と同様に換気口(図示せず)が形成されており、この換気口(図示せず)とポール１２の中空部１２ａ内とが換気ダクト２５を介して接続されている。なお、第二実施形態におけるトイレ２の処理槽２１内には、図８及び図９に示すように、攪拌片２６ｂを有する攪拌用軸２６ａが２組形成されている。
【００５５】
上記トイレ収納ベンチ７Ａは、図８、図９及び図１０に示すように、トイレ２を囲むように形成するベンチ本体７００と、座席部７１３及び背面部７１１が一体に形成され、下端部がベンチ本体７００の前方下部に回動可能に枢着されるベンチ部７１０とで形成されている。
【００５６】
トイレ収納ベンチ７Ａのベンチ本体７００は、図９及び図１０に示すように、トイレ２の処理槽２１と処理槽２１の後方上部に設置されるモータ２６ｃを収納する収納空間７ａを具備し、処理槽２１の前方上部に座席部７０３を具備し、モータ２６ｃを収納する収納空間７ａの後方上部に背もたれ部７０１を具備している。また、背もたれ部７０１の上面の後方角部には、トイレ２の使用時に上記支柱１２０を装着する円筒状の支柱受部７０４が２つ形成されている。また、ベンチ本体７００の前方下端にはベンチ部７１０を開閉可能に枢着する丁番７０５（この場合２個）が形成されている。更にまた、背もたれ部７０１の上面には、通常時にベンチとして使用する際に、支柱１２０を収納可能な用具収納室７０６が形成されている。なお、ベンチ本体７００の便座２３ａの背部に位置する背もたれ部７０１内には、上端開口部に開閉可能な蓋７０７ａを有し、内部にトイレットペーパ等を収納可能な収納ボックス７０７が形成されている。
【００５７】
トイレ収納ベンチ７Ａのベンチ部７１０は、図８に示す通常状態において、水平状態となる上面部７１２と、この上面部７１２の一端から垂下して背もたれを形成する背面部７１１と、背面部７１１の下端から水平に延在する座席部７１３と、座席部７１３の先端から垂下する前面部７１４とを一体に形成され、ベンチ本体７００を覆う形状に形成されている。また、ベンチ部７１０の前面部７１４の下端には、ベンチ本体７００の前方下端に形成される丁番７０５に枢着する丁番７１５が形成されており、この丁番７０５，７１５を支点にしてベンチ部７１０をベンチ本体７００の上部から前方へ回動して開くことによりトイレ２を使用可能にすることができる。また、ベンチ部７１０を形成する上面部７１２と背面部７１１との折曲内部の両端にはトイレ２の使用時に支柱１２０を装着する円筒状の支柱受部７１６が形成されている。なお、この場合、ベンチ部７１０の両端には座席部７１３と背面部７１１に取り付けられる肘掛け７１７が形成されている。
【００５８】
一方、制御ボックス収納ベンチ８Ａは、図８及び図９に示すように、蓄電器１１及びトイレの電気制御部２０を収容する制御ボックス３と、シート部材１１０及び予備のおが屑Ｘ等を収納する収納空間８ａを囲むように形成されるベンチ本体８００と、座席部８１３及び背面部８１１が一体に形成され、下端部がベンチ本体８００の前方下部に開閉可能に枢着されるベンチ部８１０とで構成されている。
【００５９】
制御ボックス収納ベンチ８Ａのベンチ本体８００は、図８及び図９に示すように、制御ボックス３やシート部材１１０及び予備のおが屑Ｘ等を収納する収納空間８ａの上方を開口した状態に形成され、トイレ２の使用時に収納空間８ａ内からシート部材１１０が取出し可能に形成されてある。また、ベンチ本体８００の前方下端にはベンチ部８１０を開閉可能に枢着する丁番８０５（この場合２個）が形成されている。
【００６０】
制御ボックス収納ベンチ８Ａのベンチ部８１０は、上記トイレ収納ベンチ７Ａと同様の形状に形成されており、図８、図９に示すように上面部８１２と、背面部８１１と、座席部８１３及び前面部８１４とを一体に形成され、ベンチ本体８００の収納空間８ａの開口を覆う形状に形成されている。また、ベンチ部８１０の前面部８１４の下端には、ベンチ本体８００の前方下端に形成される丁番８０５に枢着する丁番８１５が形成されており、この丁番８０５，８１５を支点にしてベンチ部８１０をベンチ本体８００の上部から前方へ回動して開くことによりトイレ２を使用する際に、ベンチ本体８００の収納空間８ａ内からシート部材１１０を取り出すことができる。なお、この場合、ベンチ部８１０の両端には座席部８１３と背面部８１１に取り付けられる肘掛け７１７が形成されている。
【００６１】
支柱１２０は、図９及び図１０に示すように、シート部材１１０を展開保持する上部支柱１２１と、トイレ収納ベンチ７Ａの支柱受部７０４，７１６に装着する下部支柱１２２と、この上部支柱１２１と下部支柱１２２とを連結固定可能なジョイント部１２３とで形成されており、上部支柱１２１は下部支柱１２２内に伸縮可能に収納されるように形成されている。また、上部支柱１２１の先端にはシート部材１１０を保護するための保護キャップ１２４が装着されている。なお、この場合、ジョイント部１２３による上部支柱１２１と下部支柱１２２の連結固定は、例えばジョイント部１２３を軸方向に回転して締付けることにより、上部支柱１２１と下部支柱１２２を適当な長さで固定することができる。
【００６２】
シート部材１１０は、図９及び図１１に示すように、上部支柱１２１の先端に被装してトイレ２の上方を目隠しする上部シート部材１１１と、上部シート部材１１１の４辺から垂下されてトイレ２の前方と側方及び後方を目隠しする側部シート部材１１２とで構成されている。
【００６３】
上部シート部材１１１は、図９及び図１１に示すように、支柱１２０によって区切られるトイレ２のスペースの上方を目隠しする天井部１１３と、この天井部１１３の４辺から下方に折曲して支柱１２０の先端部を側方から囲う天井側部１１４とで形成されている。なお、この場合、天井部１１３には、透明な窓部（図示せず）が形成されている。この窓部により、トイレ使用時に、ポール１２の上部側面に装着される照明器具６の光を上部シート部材１１１によって間仕切りされた屋外トイレＴ内を照光することができる。
【００６４】
また、側部シート部材１１２は、図９及び図１１に示すように、支柱１２０によって区切られるトイレ２のスペースの前方、側方及び後方を囲むように目隠し、上部シート部材１１１の天井側部１１４に図示しない取付手段例えば面ファスナやファスナ等によって取り付けられている。なお、この場合、トイレ２の側方を目隠しする側部シート部材１１２の側方の少なくとも一方側に、開閉可能な出入口（図示せず）が形成されている。
【００６５】
上記のように構成されるトイレ収納ベンチ７Ａと支柱１２０及びシート部材１１０によって屋外トイレＴを組立てるには、まず、図９に示すように、トイレ収納ベンチ７Ａのベンチ部７１０をベンチ本体７００の前方に回動して前面部７１４が地面に接する状態に開放する。
【００６６】
次に、ベンチ本体７００の用具収納室７０６内から支柱１２０を取り出し、上部支柱１２１と下部支柱１２２を適当な長さに伸ばした状態でジョイント部１２３を軸方向に締付けて支柱１２０を適当な長さに調節する。この支柱１２０の下部支柱１２２の端部を、ベンチ本体７００及びベンチ部７１０に形成された支柱受部７０４，７１６の円筒内に嵌挿して装着することでトイレ２の使用空間を区切ることができる。
【００６７】
次に、制御ボックス収納ベンチ８Ａのベンチ部８１０をベンチ本体８００の前方に回動してベンチ本体８００の収納空間８ａを開放し、収納空間８ａ内に収納されているシート部材１１０を取り出す。このシート部材１１０の上部シート部材１１１を支柱１２０の上方から被装すると共に、支柱１２０によって区切られたトイレ２の使用空間を側部シート部材１１２によって包囲し、上部シート部材１１１の天井側部１１４と側部シート部材１１２とを図示しない取付手段によって取り付けることで、支柱１２０によってシート部材１１０を展開保持し、トイレ２の上方、側方及び後方を目隠しすることができる。
【００６８】
したがって、支柱１２０によって区切られたトイレ２の使用空間をシート部材１１０によって目隠しすることにより、例えば、災害時等における避難者や災害援助者等のトイレ使用者のプライバシーを保護することができる。
【００６９】
このように組立てた屋外トイレＴを分解するには、組立作業と逆の手順でシート部材１１０と支柱１２０を取り外す。そして、取り外されたシート部材１１０を折り畳んで制御ボックス収納ベンチ８Ａの収納空間８ａ内に収納し、制御ボックス収納ベンチ８Ａのベンチ部８１０を回動させてベンチ本体８００の収納空間８ａを閉塞し、また、取り外された支柱１２０を縮ませてトイレ収納ベンチ７Ａの用具収納室７０７内に収納し、トイレ収納ベンチ７Ａのベンチ部７１０を回動させてベンチ本体７００の上に移動させることによって再びベンチとして使用可能になる。
【００７０】
なお、この場合、シート部材１１０の側部シート部材１１２は、上部シート部材１１１に取り付ける構造に限られず、支柱１２０又はトイレ収納ベンチ７Ａに取り付る構造に形成してもよい。また、シート部材１１０の上部シート部材１１１と側部シート部材１１２は、別体で形成されるものに限られず、一体に形成してもよい。また、上記説明では、支柱１２０が伸縮自在な構造のものについて説明したが、支柱１２０は一本のものであってもよく、あるいは、分割された複数本を着脱可能に連結する構造のものであってもよい。
【００７１】
なお、第二実施形態において、その他の部分は上記第一実施形態と同じであるので、同一部分には同一符号を付して説明は省略する。
【００７２】
上記第二実施形態においては、トイレ２をトイレ収納ベンチ７Ａ内に収納される支柱１２０と、制御ボックス収納ベンチ８Ａ内に収納されるシート部材１１０によって目隠しすることで、トイレ使用者のプライバシーを保護することができる。
【００７３】
◎その他の実施形態
上記実施形態では、自然エネルギ収集手段が、風車４及びソーラーパネル５にて形成される場合について説明したが、自然エネルギ収集手段は、風車４又はソーラーパネル５にて形成されていればよい。
【００７４】
なお、自然エネルギ収集手段をソーラーパネル５だけで形成する場合は、複数のソーラーパネル５を設置する方が好ましい。
【００７５】
なお、上記屋外用トイレＴは、災害時等の避難場所に限られず、公園、山林やイベント会場等にも設置可能である。
【００７６】
なお、上記のように構成される屋外トイレＴは、近傍する場所に複数設置してもよく、それぞれの屋外トイレＴを相互に電力供給可能な配線で連結することにより、故障等により発電及び蓄電ができない屋外トイレＴに、他の屋外トイレＴの自然エネルギ供給手段１から電力供給をすることが可能になる。
【００７７】
また、故障等により発電及び蓄電ができない場合には、図１０及び図１１に示す手動攪拌用ハンドル２６ｄを回すことによって、処理槽２１内の攪拌用軸２６ａ及び攪拌片２６ｂを回転させて、処理槽２１内のおが屑Ｘと有機廃棄物Ｙとを攪拌することができる。
【００７８】
なお、制御ボックス３内の蓄電器１１に蓄電された電気エネルギを災害時の情報伝達のための携帯電話の充電や、情報収集のためのラジオの電源等の目的に使用するために、電源取出し用のコンセントを設けることも可能である。
【００７９】
第二実施形態では、支柱１２０をトイレ収納ベンチ７Ａを構成するベンチ部７１０に設けられた支柱受部７１６に嵌挿して立設する場合について説明したが、支柱１２０を、第一実施形態の場合と同様に、地上に設けた支柱穴内に嵌挿して立設させるようにしてもよい。なお、この場合、ベンチ部７１０をトイレ２の便座２３ａに対して着脱可能にすることができる。
【００８０】
【発明の効果】
以上に詳述したように、この発明によれば、上記のように構成されているので、以下のような優れた効果が得られる。
【００８１】
（１）請求項１，２，３記載の発明によれば、風力又は太陽光あるいは風力及び太陽光の双方を利用して収集した自然エネルギ収集手段により発電された電気エネルギを蓄電器に蓄電し、この電気エネルギを利用して糞尿等の有機廃棄物の処理を行うことができるので、外部からの電力供給がなくても糞尿等の有機廃棄物を分解処理するトイレを使用することができる。したがって、環境汚染の防止が図れる。また、トイレ及び制御ボックスを、それぞれベンチの座席下部の収納空間内に収納し、トイレを収納するベンチの座席部を開閉又は着脱可能に形成し、トイレの使用時に、ベンチを構成する部材及び又はベンチの収納空間内に収納された部材をトイレの目隠し用に使用可能に形成するので、例えば災害時の避難者や災害援助者等のトイレ使用者のプライバシーを保護することができる。
【００８２】
（２）請求項４記載の発明によれば、ポールの上部に装着された自然エネルギ収集手段により発電された電気エネルギを自然エネルギ供給手段に蓄電し、トイレの使用時に処理槽内の分解処理用おが屑と有機廃棄物とを攪拌する攪拌手段及び処理槽の外周壁に設置されたヒータに電気エネルギを供給することができるので、上記（１）に加えて、更に、糞尿等の有機廃棄物を効率良く分解処理することができる。また、トイレの換気口とポールの中空部とを換気ダクトを介して接続することにより、処理槽内の臭気を外部へ排出して換気を行うことができる。したがって、トイレ使用者の臭気による不快感を緩和することができる。
【００８３】
（３）請求項５記載の発明によれば、ポールの上部に装着された自然エネルギ収集手段により発電された電気エネルギを自然エネルギ供給手段に蓄電し、この電気エネルギをポールの上部に装着された照明器具に供給することにより、上記（１）に加えて、更に通常時や災害時の夜間等にポールの下端部に設置されたベンチ及びポールの下端部周辺を照らすことができ、災害時に関係なく夜間においても常時トイレを使用可能にすることができる。
【図面の簡単な説明】
【図１】この発明の第一実施形態の風力等の自然エネルギを利用する屋外トイレをベンチとして使用している状態を示す概略側面図である。
【図２】上記屋外トイレの使用状態を示す概略側面図である。
【図３】第一実施形態におけるトイレ収納ベンチを示す全体斜視図である。
【図４】上記制御ボックス収納ベンチを示す全体斜視図である。
【図５】上記屋外トイレの制御ボックス収納ベンチのパネルの取付構造を示す分解斜視図である。
【図６】上記屋外トイレのパネルの連結構造を示す分解斜視図である。
【図７】上記屋外トイレの組立状態を示す全体斜視図である。
【図８】この発明の第二実施形態の風力等の自然エネルギを利用する屋外トイレをベンチとして使用している状態を示す概略側面図である。
【図９】上記屋外トイレの使用状態を示す概略側面図である。
【図１０】第二実施形態におけるトイレ収納ベンチの展開状態を示す全体斜視図である。
【図１１】上記屋外トイレの使用状態を示す概略正面図である。
【符号の説明】
Ｓ  太陽光
Ｘ  おが屑
Ｙ  有機廃棄物
Ｗ  風力
１  自然エネルギ供給手段
２  トイレ
３  制御ボックス
４  風車（自然エネルギ収集手段）
５  ソーラーパネル（自然エネルギ収集手段）
６  照明器具
７，７Ａ  トイレ収納用ベンチ
７ａ  収納空間
８，８Ａ  制御ボックス収納ベンチ
８ａ  収納空間
１０  自然エネルギ収集手段
１１  蓄電器
１２  ポール
１２ａ  中空部
２０  電気制御部
２１  処理槽
２３ａ  便器（便座）
２４  換気口
２５  換気ダクト
２６（２６ｃ）  攪拌手段（モータ）
２８  ヒータ
７１〜７３  パネル
８１〜８３，８５  パネル
１１０  シート部材
１１１  上部シート部材（天井部）
１１２  側部シート部材（側面部）
１２０  支柱
【図１】
2004204635.tif 000003
【図２】
2004204635.tif 000004
【図３】
2004204635.tif 000005
【図４】
2004204635.tif 000006
【図５】
2004204635.tif 000007
【図６】
2004204635.tif 000008
【図７】
2004204635.tif 000009
【図８】
2004204635.tif 000010
【図９】
2004204635.tif 000011
【図１０】
2004204635.tif 000012
【図１１】
2004204635.tif 000013